(57)【要約】  本発明は、遠隔調整送受信装置に関し、より詳しくは、送信部のＬＥＤ及び光学系により形成されたグリッドパターンを受信部で赤外線センサにより判別し、送信部の空間移動位置情報が分かるようにすることによって、加速度センサ、マイクロコンピュータ、及び無線送受信手段により具現されていた既存の空間移動リモートコントローラーの構造を簡略にして費用を低減させた遠隔調整送受信装置に関する。本発明の構成は、命令を入力させるキー入力装置、上記キー入力装置から生成される指示信号に応答してＬＥＤの動作を制御するＬＥＤ駆動部、及び上記ＬＥＤから出力される光を用いてグリッドパターンを発生させるパターン発生器を備える遠隔調整送信機と、上記遠隔調整送信機から受信したグリッドパターンを用いて移動方向及び移動距離を検出し、これに対応する位置情報を生成させる遠隔調整受信機と、を備えることを特徴とする。
2010541033.tif 000002
【特許請求の範囲】
【請求項１】
命令を入力させるキー入力装置１１０、及び前記キー入力装置１１０から生成される指示信号に応答してＬＥＤ１３０の動作を制御するＬＥＤ駆動部１２０を備える遠隔調整送信機１００であって、
前記ＬＥＤ１３０から生成される光を用いてグリッドパターンを発生させるパターン発生器１４０を更に備えることを特徴とする遠隔調整送信機。
【請求項２】
前記パターン発生器１４０は、
前記ＬＥＤ１３０から生成される光を透過させて前記グリッドパターンを生成するＸＹパターンプレートＸＹＰと、
前記グリッドパターンをプロジェクションさせるレンズＬと、
を備えることを特徴とする請求項１に記載の遠隔調整送信機。
【請求項３】
前記ＸＹパターンプレートＸＹＰは、
表面にグリッドパターンがエッチングされていることを特徴とする請求項２に記載の遠隔調整送信機。
【請求項４】
遠隔調整送信機から受信したグリッドパターンの移動方向及びグリッドの移動個数を検出し、検出された資料を用いて検出情報を生成するパターン信号検出部２１０と、
前記検出情報に対応する位置情報が生成される制御部２２０と、
を備えることを特徴とする遠隔調整受信機。
【請求項５】
前記パターン信号検出部２１０は、
前記グリッドパターンのＸ方向及びＹ方向への移動方向及び前記方向へ移動したグリッドの個数を検出するＸＹ検出器２１１と、
前記ＸＹ検出器から出力される信号を選別し、前記信号に含まれた雑音を除去し、これを増幅する信号処理器２１２と、
を備えることを特徴とする請求項４に記載の遠隔調整受信機。
【請求項６】
前記ＸＹ検出器２１１は、
前記グリッドパターンの水平移動方向を感知するＸ軸ディテクターＸＤと、
前記グリッドパターンの垂直移動方向を感知するＹ軸ディテクターＹＤと、
からなることを特徴とする請求項５に記載の遠隔調整受信機。
【請求項７】
前記信号処理器２１２は、
前記Ｘ軸ディテクターＸＤから出力される信号を選別し、前記信号に含まれた雑音を除去する第１フィルタＦ１と、
前記第１フィルタＦ１から出力される信号を増幅して前記検出情報を生成する第１増幅器Ａ１と、
前記Ｙ軸ディテクターＹＤから出力される信号を選別し、前記信号に含まれた雑音を除去する第２フィルタＦ２と、
前記第２フィルタＦ２から出力される信号を増幅して前記検出情報を生成する第２増幅器Ａ２と、
を備えることを特徴とする請求項５に記載の遠隔調整受信機。
【請求項８】
命令を入力させるキー入力装置１１０、前記キー入力装置１１０から生成される指示信号に応答してＬＥＤ１３０の動作を制御するＬＥＤ駆動部１２０、及び前記ＬＥＤ１３０から出力される光を用いてグリッドパターンを発生させるパターン発生器１４０を備える遠隔調整送信機１００と、
前記遠隔調整送信機１００から受信したグリッドパターンを用いて移動方向及び移動距離を検出し、これに対応する位置情報を生成させる遠隔調整受信機２００と、
を備えることを特徴とする遠隔調整送受信装置。
【請求項９】
命令を入力させるキー入力装置１１０、及び前記キー入力装置１１０から生成される指示信号に応答してＬＥＤ１３０の動作を制御するＬＥＤ駆動部１２０を備える遠隔調整送信機１００であって、
２つの変調周波数を生成するＬＥＤ駆動部１２０′と、
前記２つの変調周波数に対応する２つのＬＥＤ光を生成させるＬＥＤ１３０′と、
前記２つのＬＥＤ光を用いてグリッドパターンを発生させるＸＹパターンプレートＸＹＰ′と、
を備えることを特徴とする遠隔調整送信機。
【請求項１０】
前記ＸＹパターンプレートＸＹＰ′は、
前記グリッドパターンのうちの一方のグリッドラインを生成させるＸパターンプレートＸＰＰと、
前記グリッドパターンのうちの他方のグリッドラインを生成させるＹパターンプレートＹＰＰと、
からなることを特徴とする請求項９に記載の遠隔調整送信機。
【請求項１１】
前記グリッドパターンを一定の角度にプロジェクションさせるレンズ部Ｌ′を更に備えることを特徴とする請求項９に記載の遠隔調整送信機。
【請求項１２】
前記レンズ部Ｌ′は、
前記ＸパターンプレートＸＰＰで生成されるグリッドラインを一定の角度にプロジェクションさせる第１レンズＬ１と、
前記ＹパターンプレートＹＰＰで生成されるグリッドラインを一定の角度にプロジェクションさせる第２レンズＬ２と、
を備えることを特徴とする請求項１１に記載の遠隔調整送信機。
【発明の詳細な説明】
【技術分野】
【０００１】
本発明は、遠隔調整送受信装置に関し、より詳しくは、無線送受信端を省略し送受信構造を簡略にして生産費用を低減させた遠隔調整送受信装置に関する。即ち、従来の加速度センサ、マイクロコンピュータ、及び無線送受信部から構成される複雑な方式でない、送信部で赤外線ＬＥＤ及び光学系を通じて発生するグリッドパターン情報を用いて受信部で位置及び移動方向が把握できるようにした遠隔調整送受信装置に関するものである。
【０００２】
また、本発明は無線送受信機を使用する多様な産業分野に全て適用して使用できるものであって、特にＩＰＴＶ、双方向ＣＡＴＶ、ＶＯＤシステム、高機能セットトップボックス、プレゼンテーションシステムのようなメニューの移動及び選択により操作される機器に使用できる遠隔調整送受信装置に関するものである。
【０００３】
また、本発明は送信部のＬＥＤ及び光学系で生成されたグリッドパターンを受信部の赤外線センサにプロジェクションさせ、受信部で上記プロジェクションされたグリッドパターン情報を解析して、移動情報が把握できるようにして、生産費用を低減させることによって、高価の送受信装置に代える次世代の遠隔調整送受信装置に関するものである。
【背景技術】
【０００４】
一般に、家電機器を制御するための無線送受信機（リモートコントローラー）は、送信機にキーボード及び赤外線ＬＥＤが備えられ、受信機に赤外線センサ及びマイクロコンピュータが備えられて、送信機のキー入力情報が赤外線信号に変換されて受信機に伝達され、この信号を受信機のマイクロコンピュータが処理して情報が分かるようにする構造となっている。
【０００５】
今後、莫大な補給が予想されるＩＰＴＶ、双方向ＣＡＴＶ、ＶＯＤシステム、高機能セットトップボックスでは、機器の多様な機能を容易に制御し、コンテンツの選択に便宜性を与えるためにアイコン形態のメニューをユーザが選択する方法を取っている。このような機器を上記既存のリモートコントローラーで操作するためには、ＸＹ（上下、左右移動）方向キーを使用せざるをえないが、メニューの数が多くなるほど、多い制御ボタンを具備しなければならず、操作するに当たって、ユーザに多くの不便性が伴われる。これを解決するために最近に登場したものが空間リモートコントローラーであるが、空間上でリモートコントローラーを移動させれば、受信部で上記リモートコントローラーの動きを検出してＰＣのマウスのようにメニュー移動ができるように構成された製品である。
【０００６】
一例として、図１に示すように、送信端のキー処理部を動作させれば、３次元加速センサで移動に従う加速度情報を検出し、これを用いてマイクロコンピュータで位置情報を計算して無線送信分に計算された値（位置情報）を伝達するようになるが、この際、無線送信部は上記位置情報を受信端の無線受信部に転送して上記無線受信部で受信された情報をマイクロコンピュータが処理して位置情報を生成させる構造であった。このような構造は、マイクロコンピュータ及び無線送受信端が送受信機に各々備えられなければならない構造であって、製作工程が面倒になり、製作費用が高まるという問題点があった。
【０００７】
更に他の例として、図２に示すように、リモートコントローラーから出力されるレーザビームがスクリーンに象を結ばれれば、上記スクリーンを感知していたカメラでレーザビームの位置情報を受け入れて、上記カメラを介して入った位置情報を受け入れて、制御部でレーザビームの位置情報を計算する構造であるとか、図３に示すように、リモートコントローラーのＬＥＤ光源をカメラでダイレクトに感知した後、感知された信号を制御部に転送してリモートコントローラーの先端のＬＥＤで照射された光の位置情報を計算することで、上記リモートコントローラーの動きを検出する構造からなった。
【０００８】
しかしながら、リモートコントローラーに空間マウス機能を与えるための上記の方法は前述したように、その便宜性にもかかわらず、赤外線ＬＥＤを用いる現在のリモートコントローラーに代えるにはその構造が複雑で、かつ生産コストが非常に高いという問題点があった。
【発明の概要】
【発明が解決しようとする課題】
【０００９】
本発明は、空間マウス機能を具現するための従来技術の複雑性及びこれによる価格上昇の問題点を解決するためになされたものであって、本発明の主な目的は、送受信構造を簡略にすることで、価格競争力を高めた廉価の空間マウス機能を有する遠隔調整送受信装置を提供することをその目的とする。
【課題を解決するための手段】
【００１０】
上記のような目的を達成するために、本発明の遠隔調整送受信装置は、命令を入力させるキー入力装置及び上記キー入力装置から生成される指示信号に応答してＬＥＤの動作を制御するＬＥＤ駆動部を備える遠隔調整送信機であって、上記ＬＥＤから生成される光を用いてグリッドパターンを発生させるパターン発生器を更に備えることにより達成できる。
【００１１】
この際、上記パターン発生器は、上記ＬＥＤから生成される光を透過させて上記グリッドパターンを生成するＸＹパターンプレートと、上記グリッドパターンをプロジェクションさせるレンズと、を備えることを特徴とする。
【００１２】
ここで、上記ＸＹパターンプレートは、表面にグリッドパターンがエッチングされていることを特徴とする。
【００１３】
一方、遠隔調整受信機は、遠隔調整送信機から受信したグリッドパターンの移動方向及びグリッドの移動個数を検出し、検出された資料を用いて検出情報を生成するパターン信号検出部と、上記検出情報に対応する位置情報が生成される制御部と、を備えることにより達成できるが、上記パターン信号検出部は、上記グリッドパターンのＸ方向及びＹ方向への移動方向及び上記方向へ移動したグリッドの個数を検出するＸＹ検出器と、上記ＸＹ検出器から出力される信号を選別し、上記信号に含まれた雑音を除去し、これを増幅する信号処理器と、を備えることを特徴とする。
【００１４】
ここで、上記ＸＹ検出器は、上記グリッドパターンの水平移動方向を感知するＸ軸ディテクターと、上記グリッドパターンの垂直移動方向を感知するＹ軸ディテクターと、からなることを特徴とし、上記信号処理器は、上記Ｘ軸ディテクターから出力される信号を選別し、上記信号に含まれた雑音を除去する第１フィルタと、上記第１フィルタから出力される信号を増幅して上記検出情報を生成する第１増幅器と、上記Ｙ軸ディテクターから出力される信号を選別し、上記信号に含まれた雑音を除去する第２フィルタと、上記第２フィルタから出力される信号を増幅して上記検出情報を生成する第２増幅器と、を備えることを特徴とする。
【００１５】
また、命令を入力させるキー入力装置、上記キー入力装置から生成される指示信号に応答してＬＥＤの動作を制御するＬＥＤ駆動部、及び上記ＬＥＤから出力される光を用いてグリッドパターンを発生させるパターン発生器を備える遠隔調整送信機と、上記遠隔調整送信機から受信したグリッドパターンを用いて移動方向及び移動距離を検出し、これに対応する位置情報を生成させる遠隔調整受信機と、を備えることにより達成できる。
【００１６】
一方、命令を入力させるキー入力装置、及び上記キー入力装置１１０から生成される指示信号に応答してＬＥＤの動作を制御するＬＥＤ駆動部を備える遠隔調整送信機であって、２つの変調周波数を生成するＬＥＤ駆動部と、上記２つの変調周波数に対応する２つのＬＥＤ光を生成させるＬＥＤと、上記２つのＬＥＤ光を用いてグリッドパターンを発生させるＸＹパターンプレートと、を備えることにより達成され、この際、上記ＸＹパターンプレートは、上記グリッドパターンのうち、一方のグリッドラインを生成させるＸパターンプレートと、上記グリッドパターンのうち、他方のグリッドラインを生成させるＹパターンプレートと、からなることを特徴とする。
【００１７】
また、上記グリッドパターンを一定の角度にプロジェクションさせるレンズ部を更に備えることを特徴とする。
【００１８】
ここで、上記レンズ部は、上記Ｘパターンプレートで生成されるグリッドラインを一定の角度にプロジェクションさせる第１レンズと、上記Ｙパターンプレートで生成されるグリッドラインを一定の角度にプロジェクションさせる第２レンズと、を備えることを特徴とする。
【発明の効果】
【００１９】
本発明によれば、本発明の空間マウス機能を有する遠隔調整送受信装置を家庭用機器のリモートコントローラー装置に代える場合、既存の方向キーによるメニュー選択方式から脱皮してユーザが空間上でリモートコントローラーを動かしてメニューの上下及び左右の動きを制御できるようになることによって、ＰＣのマウス機能のような便宜性を家庭用機器に提供することができ、ＰＣを用いたプロジェクションシステムに応用する場合、会議や講演などの場所で補助進行者無しでプレゼンテーションを進行しながらＰＣを制御することができるようになる。
【００２０】
また、生産費用が低減されることによって、経済的な遠隔調整送受信装置を普遍化させることに適したものである。
【図面の簡単な説明】
【００２１】
【図１】従来のリモートコントローラーを用いた送／受信部の一実施形態の構成を示す図である。
【図２】従来のリモートコントローラーを用いた送／受信部の更に他の実施形態の構成を示す図である。
【図３】従来のリモートコントローラーを用いた送／受信部の更に他の実施形態の構成を示す図である。
【図４】本発明の遠隔調整送受信装置の遠隔調整送信機の構成を示す図である。
【図５】本発明の遠隔調整送受信装置のパターン発生器の構成を示す図である。
【図６】本発明の遠隔調整送受信装置の遠隔調整受信機の構成を示す図である。
【図７】本発明の遠隔調整送受信装置のパターン信号検出部の構成を示す図である。
【図８】本発明の遠隔調整送受信装置のＬＥＤ駆動部、ＬＥＤ、パターン発生器、及びパターン信号検出部の構成を示す図である。
【発明を実施するための形態】
【００２２】
以下、添付された図面を参照しつつ本発明の実施形態を詳細に説明すれば、次の通りである。
【００２３】
図１は従来のリモートコントローラーを用いた送／受信部の一実施形態の構成を示す図であり、図２は従来のリモートコントローラーを用いた送／受信部の更に他の実施形態の構成を示す図であり、図３は従来のリモートコントローラーを用いた送／受信部の更に他の実施形態の構成を示す図であり、図４は本発明の遠隔調整送受信装置の遠隔調整送信機の構成を示す図であり、図５は本発明の遠隔調整送受信装置のパターン発生器の構成を示す図であり、図６は本発明の遠隔調整送受信装置の遠隔調整受信機の構成を示す図であり、図７は本発明の遠隔調整送受信装置のパターン信号検出部の構成を示す図であり、図８は本発明の遠隔調整送受信装置のＬＥＤ駆動部、ＬＥＤ、パターン発生器、及びパターン信号検出部の構成を示す図である。
【００２４】
まず、本発明を説明する前に、従来技術と本発明とを比較して簡略に説明すれば、次の通りである。
【００２５】
従来には、一般的にリモートコントローラーのような送信機に３次元加速センサ、マイクロコンピュータ、及び無線送信部が備えられていたが、本発明では上記の構成をＬＥＤを光源とするグリッドパターンを生成する構造に代えた。これは、従来の複雑で、かつ高価の構成要素をグリッドパターンを生成する構造に縮約させることによって、生産費用を格段に低減させた構成である。
【００２６】
また、従来には受信機にも上記送信機の無線送信部から送ってきた情報を受け入れる無線受信部が別に備えられていたが、本発明では上記無線受信部無しで送信機のグリッドパターンを受け入れると共に、位置情報が生成できる構造である。
【００２７】
以下、本発明の技術構成を説明する。
【００２８】
まず、図４に示すように、命令を入力させるキー入力装置１１０、及び上記キー入力装置１１０から生成される指示信号に応答してＬＥＤ１３０の動作を制御するＬＥＤ駆動部１２０を備える遠隔調整送信機１００において、上記ＬＥＤ１３０から生成される光を用いてグリッドパターンを発生させるパターン発生器１４０を更に備えてなされるが、上記キー入力装置１１０のＯＮ／ＯＦＦにより上記ＬＥＤ駆動部１２０が駆動され、ＬＥＤ１３０を通じて発生する光が上記パターン発生器１４０を通過しながらグリッドパターンを生成するようになる。
【００２９】
この際、上記パターン発生器１４０は、上記ＬＥＤ１３０から出力される光を透過させて上記グリッドパターンを生成するＸＹパターンプレートＸＹＰと、上記グリッドパターンを希望する角度にプロジェクションさせるレンズＬを備え、ここで、上記ＸＹパターンプレートＸＹＰは、図５に示すように、表面にグリッドパターンがエッチングされているが、上記ＸＹパターンプレートＸＹＰは材質がガラスであり、上記ＬＥＤ１３０から出力される光を透過させ、透過された光は上記レンズＬを介して所定の角度に屈折しながらグリッドパターンを生成するようになる。一方、図５では上記ＸＹパターンプレートＸＹＰにエッチングされるグリッドパターンの形状を拡大図示したものであって、上記ＸＹパターンプレートＸＹＰの表面に水平（Ｘ軸方向）及び垂直方向（Ｙ軸方向）にＸパターンＸＰ及びＹパターンＹＰをエッチングして製造するようになる。
【００３０】
また、上記レンズＬは赤外線波長を透過させることができる材質を使用し、上記レンズＬを透過する光の屈折角度が大きいほどリモートコントローラー（送信機）が受信部に正確に向けなくても上記グリッドパターンが受信部に伝達できるので、使用上の便宜性はあるが、上記屈折角が大きければ広い領域に亘って光エネルギーを伝達しなければならないので、上記ＬＥＤ１３０の出力が高くなければならず、上記グリッドパターンの間隔が広くなるので、上記受信部で位置を検出するに当たって、精度が落ちるようになる。本発明の実施形態では、家庭用への使用を考慮して屈折角を１００度にしたし、上記グリッドパターンの総個数を１０００ｘ１０００としたが、ＰＣのマウスのように精密性を要する製品は屈折角を６０度以内に下げ、上記グリッドパターンの個数も増やすことが好ましい。
【００３１】
一方、図６または図７に示すように、遠隔調整送信機から受信したグリッドパターンの移動方向及びグリッドの移動個数を検出し、検出された資料を用いて検出情報を生成するパターン信号検出部２１０と、上記検出情報に対応する位置情報を生成する制御部２２０とを備えるが、ここで、上記パターン信号検出部２１０は、上記グリッドパターンのＸ方向及びＹ方向への移動方向及び上記方向へ移動したグリッドの個数を検出するＸＹ検出器２１１と、上記ＸＹ検出器から出力される信号を選別し、上記信号に含まれた雑音を除去し、これを増幅する信号処理器２１２とを備える。
【００３２】
また、図７に示すように、上記ＸＹ検出器２１１は、上記グリッドパターンの水平移動方向を感知するために２つのセンサが水平に配置されたＸ軸ディテクターＸＤと、上記グリッドパターンの垂直移動方向を感知するために２つのセンサが垂直に配置されたＹ軸ディテクターＹＤとからなるが、上記遠隔調整送信機からグリッドパターンが入るようになれば、上記ＸＹ検出器２１１のＸ、Ｙ軸ディテクターＸＤ、ＹＤで上記グリッドパターンの動きを感知するようになるが、即ち、リモートコントローラー送信部の左右移動が発生した場合には垂直方向のＹパターンＹＰが上記Ｘ軸ディテクターＸＤを過ぎるようになり、上記受信部では２つの水平配置されたセンサのうち、どのセンサが先に感知されたかによって、上記ＹパターンＹＰの移動方向及び移動個数が検出され、これを上記制御部２００で処理してリモートコントローラー送信部の左右方向移動位置が分かるようになる。同様に、リモートコントローラー送信部の上下移動が発生した場合には、水平方向のＸパターンＸＰがＹ軸ディテクターＹＤを過ぎるようになり、上記受信部では２つの垂直配置されたセンサのうち、どのセンサが先に感知されたかによって、上記ＸパターンＸＰの移動方向及び移動個数が検出され、これを制御部２００で処理してリモートコントローラー送信部の上下方向移動位置が分かるようになる。
【００３３】
また、上記信号処理器２１２は、図７に示すように、上記Ｘ軸ディテクターＸＤから出力される信号を選別し、上記信号に含まれた雑音を除去する第１フィルタＦ１、上記第１フィルタＦ１から出力される信号を増幅して上記検出情報を生成する第１増幅器Ａ１、上記Ｙ軸ディテクターＹＤから出力される信号を選別し、上記信号に含まれた雑音を除去する第２フィルタＦ２、及び上記第２フィルタＦ２から出力される信号を増幅して上記検出情報を生成する第２増幅器Ａ２を備える。
【００３４】
一方、命令を入力させるキー入力装置１１０及び上記キー入力装置１１０から生成される指示信号に応答してＬＥＤ１３０の動作を制御するＬＥＤ駆動部１２０を備える遠隔調整送信機１００において、２つの変調周波数を生成するＬＥＤ駆動部１２０′、上記２つの変調周波数に対応する２つのＬＥＤ光を生成させるＬＥＤ１３０′、及び上記２つのＬＥＤ光を用いてグリッドパターンを発生させるＸＹパターンプレートＸＹＰ′を備えるが、この際、上記ＸＹパターンプレートＸＹＰ′は、上記グリッドパターンのうちの一方のグリッドラインを生成させるＸパターンプレートＸＰＰ、及び上記グリッドパターンのうちの他方のグリッドラインを生成させるＹパターンプレートＹＰＰからなる。また、上記グリッドパターンを一定の角度にプロジェクションさせるレンズ部Ｌ′を更に具備し、上記レンズ部Ｌ′は、上記ＸパターンプレートＸＰＰで生成されるグリッドラインを一定の角度にプロジェクションさせる第１レンズＬ１、及び上記ＹパターンプレートＹＰＰで生成されるグリッドラインを一定の角度にプロジェクションさせる第２レンズＬ２から構成される。
【００３５】
図８は、Ｘ及びＹパターン（ＸＰ、ＹＰ）の相互干渉による位置情報算出誤りを防止して精度を改善させるための構成であって、グリッドパターンの感知時にＸパターンＸＰはＹ軸ディテクターＹＤが検出し、ＹパターンＹＰはＸ軸ディテクターＸＤが検出しなければ、グリッドパターンの移動方向及び移動個数が正確に検出できないが、仮にＸパターンＸＰがＸ軸ディテクターＸＤに検出されたり、ＹパターンＹＰがＹ軸ディテクターＹＤに検出される場合には、検出誤りが発生することがある。したがって、図８に示すように、各々異なる変調周波数Ｓ１、Ｓ２に変調される２つの独立したＬＥＤ１３０′、２つの独立したＸＹパターンプレートＸＹＰ′、及びレンズＬ１、Ｌ２を使用し、上記ＸＹパターンプレートＸＹＰ′はＸ、Ｙパターンが重なったグリッドパターンの代わりに各々ＸパターンプレートＸＰＰ及びＹパターンプレートＹＰＰを使用してＸパターンＸＰとＹパターンＹＰを各々生成させ、この際、生成されたパターンＸＰ、ＹＰが上記レンズ部Ｌ′を介して一定の角度に各々プロジェクションされる。また、受信部ではＸ軸ディテクターＸＤの出力端にはＳ２帯域の周波数だけを通過させる帯域通過フィルタを連結し、Ｙ軸ディテクターＹＤの出力端にはＳ１帯域の周波数だけを通過させる帯域通過フィルタを連結する。
【００３６】
即ち、上記ＸパターンＸＰとＹパターンＹＰは各々異なる周波数Ｓ１、Ｓ２に変調されたＬＥＤ光であるので、上記ＸパターンＸＰはＹ軸ディテクターＹＤを通じてのみ感知されることができ、ＹパターンＹＰはＸ軸ディテクターＸＤを通じてのみ感知されることができるので、上記ＸパターンＸＰとＹパターンＹＰとの相互干渉による検出正確度の低下を防止することができる。
【００３７】
上記のような構成の本発明に従う遠隔調整送受信装置の一実施形態を説明すれば、次の通りである。（図１乃至図７参照）
１）上記キー入力装置１１０をＯＮさせる。
２）上記ＬＥＤ駆動部１２０が駆動されながら上記ＬＥＤ１３０で発生した光が上記パターン発生器１４０に通過される（この際、屈折角は１００度にする）。
３）上記パターン発生器１４０を通過したＬＥＤ光は上記グリッドパターンで生成される。
４）生成された上記グリッドパターンがパターン信号検出部２１０に流入する。
５）４）の過程で、上記ＸＹ検出器２１１で上記グリッドパターンの動きを感知する。
６）５）の過程で、感知された信号を上記信号処理器２１２を経て制御部２２０に送る。
７）上記制御部２２０で位置情報を生成する。
【００３８】
上記のような構成の本発明に従う遠隔調整送受信装置の他の実施形態を説明すれば、次の通りである。（図８参照）
１）上記ＬＥＤ駆動部１２０′を駆動させる。
２）１）の過程で、３５ＫＨｚ（Ｓ１）と４５ＫＨｚ（Ｓ２）の変調周波数が生成される。
３）２）の互いに異なる変調周波数（Ｓ１、Ｓ２）を用いて２つのＬＥＤ１３０′を駆動することによって、２つのＬＥＤ光を生成させる。
４）上記生成された２つのＬＥＤ光のうちの１つはＸパターンプレートＸＰＰを通過させ、残りの１つはＹパターンプレートＹＰＰを通過させる（この際、ＸパターンＸＰとＹパターンＹＰが各々生成される）。
５）４）の過程で、生成された光（Ｘパターン及びＹパターン）は、上記第１レンズＬ１及び第２レンズＬ２を介して各々プロジェクションされる（この際、上記第１レンズＬ１及び第２レンズＬ２の屈折角度は１００度である）。
６）５の過程で、生成されたＸパターンＸＰとＹパターンＹＰをＸ軸ディテクターＸＤ及びＹ軸ディテクターＹＤで感知した後、各々帯域通過フィルタを経て制御部２２０に送る。（制御部の構造は一実施形態と同一である）
７）６）の過程で、上記Ｘ軸ディテクターＸＤで感知したＹパターンＹＰは、周波数帯域が４１〜５０ＫＨｚの周波数帯域通過フィルタを通過させ、Ｙ軸ディテクターＹＤで感知したＸパターンＸＰは周波数帯域が３０〜４０ＫＨｚの周波数帯域通過フィルタを通過させる。
８）７）の過程で、生成された情報を制御部２２０で処理して位置情報を生成する。
【００３９】
本発明の好ましい実施形態に対して図示及び説明したが、本発明は前述した実施形態に限定しておらず、特許請求範囲で請求する本発明の要旨から外れることなく、当該発明が属する分野で通常の知識を有する者であれば誰でも多様な変形が可能である。
【符号の説明】
【００４０】
１００    遠隔調整送信機
１１０    キー入力装置
１２０、１２０′    ＬＥＤ駆動部
１３０、１３０′    ＬＥＤ
１４０    パターン発生器
２００    遠隔調整受信機
２１０    パターン信号検出部
２１１    ＸＹ検出器
２１２    信号処理器
２２０    制御部
ＸＹＰ、ＸＹＰ′    ＸＹパターンプレート
ＸＰＰ    Ｘ軸パターンプレート
ＹＰＰ    Ｙ軸パターンプレート
ＸＰ    Ｘパターン
ＹＰ    Ｙパターン
Ｌ    レンズ
Ｌ′    レンズ部
Ｌ１    第１レンズ
Ｌ２    第２レンズ
ＸＤ    Ｘディテクター
ＹＤ    Ｙディテクター
Ｆ１    第１フィルタ
Ｆ２    第２フィルタ
Ａ１    第１増幅器
Ａ２    第２増幅器
【図１】
2010541033.tif 000003
【図２】
2010541033.tif 000004
【図３】
2010541033.tif 000005
【図４】
2010541033.tif 000006
【図５】
2010541033.tif 000007
【図６】
2010541033.tif 000008
【図７】
2010541033.tif 000009
【図８】
2010541033.tif 000010
【国際調査報告】
2010541033.tif 000011
2010541033.tif 000012